(57)【要約】      （修正有）【課題】作業位置が比較的低いような現場において、容易に足場を確保することができるような昇降式移動足場を提供する。【解決手段】四角形の作業台１及び油圧モーターによって作業台を昇降させる昇降手段２を備える昇降式移動足場であって、昇降手段２は、接地部に車輪４を有するものであり、作業台１は安全柵３を有する。【選択図】図１
0003218841.tif 000002
【実用新案登録請求の範囲】
【請求項１】
四角形の作業台及び油圧モーターによって作業台を昇降させる昇降手段を備える昇降式移動足場であって、
昇降手段は、接地部に車輪を有するものであり、作業台は安全柵を有するものであることを特徴とする昇降式移動足場。
【請求項２】
昇降手段は、２以上の門型リフターである請求項１記載の昇降式移動足場。
【請求項３】
昇降手段は、上下に伸縮する伸縮ビームである請求項１又は２記載の昇降式移動足場。
【請求項４】
更に、ガラス繊維強化プラスチックからなる梁を備えるものである請求項１，２又は３記載の昇降式移動足場。
【考案の詳細な説明】
【技術分野】
【０００１】
本考案は、昇降式移動足場に関するものである。
【背景技術】
【０００２】
高所での作業を行う場合には、足場が一般的に使用される。このような足場として、一般的には、組み立て式の足場が使用されている。このような足場は組み立てには時間がかかるものの、安全性も高く、組み立て・解体の方法が確立されていることから、広く一般に使用されている。
【０００３】
一方、比較的低い作業場所での作業の場合に組み立て式の足場を組むのは、要する労力が大きく、より簡便な方法によって移動式の足場を確保することが望まれている。特に短時間の作業に組み立て式の足場を組むことは、組み立て時間が長くなってしまうという点で、好ましいことではない。
【０００４】
特許文献１には、門型リフターが記載されており、これによって荷物の積み下ろしを行うことが記載されている。しかし、ここに記載された門型リフターは、重量物を持ち上げるために使用されるものであり、足場において門型リフターを使用することは記載されていない。
【０００５】
特許文献２には、トンネル補修用台車が記載されている。しかし、一般的な作業現場に使用することに関する記載はない。更に、台車上に架台を載置するものであることから、その使用は簡便ではない。これらの点が問題となるため、レール上を走行するトンネル補修用台車としては好適に使用できるが、一般的な建設現場での使用には向いていない。
【先行技術文献】
【特許文献】
【０００６】
【特許文献１】特開２００７−７６７８９号公報
【特許文献２】特開昭６２−２４９９００号公報
【考案の概要】
【考案が解決しようとする課題】
【０００７】
本考案は上記に鑑み、作業位置が比較的低いような現場において、容易に足場を確保することができるような昇降式移動足場を提供することを目的とするものである。その使用方法は、制限が少なく、工事現場や搬入現場等の一般的な高所作業において広く使用することができるものとすることが望まれている。
【課題を解決するための手段】
【０００８】
本考案は、四角形の作業台及び油圧モーターによって作業台を昇降させる昇降手段を備える昇降式移動足場であって、
昇降手段は、接地部に車輪を有するものであり、作業台は安全柵を有するものであることを特徴とする昇降式移動足場である。
【０００９】
上記昇降手段は、２以上の門型リフターであることが好ましい。
上記昇降手段は、上下に伸縮する伸縮ビームであることが好ましい。
本発明の昇降式移動足場は、更に、ガラス繊維強化プラスチックからなる梁を備えるものであることが好ましい。
【考案の効果】
【００１０】
本考案の昇降式移動足場は、現場で足場を組み立てる時間が不要で、移動も容易であり、短時間で簡便に設置することができるという効果を有するものである。
【図面の簡単な説明】
【００１１】
【図１】本考案の昇降式移動足場の一例を示す図面である。
【図２】脚部を伸ばした状態の本考案の昇降式移動足場の一例を示す図面である。
【図３】本考案の昇降式移動足場を2以上組み合わせて使用した場合の態様を示す図面である。
【図４】本考案の昇降式移動足場の使用状態の一例を示す図である。
【考案を実施するための形態】
【００１２】
本発明の昇降式移動足場は、四角形の作業台及び油圧モーターによって作業台を昇降させる昇降手段を備えるからなるものである。
すなわち、昇降手段によって作業台を上下させ、これによって、高い位置にある作業場所における作業を容易に行うことができるようにするものである。更に、昇降手段の設置部に車輪を有するものとすることで、移動を容易にするものである。
【００１３】
このような構成からなる足場は、組み立ての時間が短時間であること、より安全性が高いこと等の観点から従来の組み立て式の足場より優れたものである。更に、移動も容易であり、一般的な工事現場等の任意の高所作業における使用に適している。更に、油圧モーターによって昇降させるものであることから、安全性が高くかつ重量制限が高く、重量物を積載しても、充分に重さに耐えることができる。
【００１４】
本考案の昇降式移動足場の一例を図１に示した。以下、本考案を図１に基づいて詳述する。なお、本考案は図１に示したものに限定されるものではない。
図１中、作業台１は、作業者がその上に乗って作業を行う場所である。よって、作業者及び作業用物品の重量に耐える強度を有するものであれば特に限定されず、平板、金網、等の任意の素材からなるものを使用することができる。
【００１５】
さらに、作業台１は、安全柵３を備えるものである。
安全柵は、高所で作業を行う作業者の安全を確保するためのものであり、四角形の四辺すべてに設置することが好ましい。
更に、それぞれ着脱自在な形態で設けることが好ましい。
着脱自在であると、例えば、建築物の壁面に本考案の昇降式移動足場を載置して、建築部の壁面に対する作業を行う場合、作業時に壁面に面した側の足場を取り外して作業を行うことにも対応ができる。
更に、本考案の昇降式移動足場を２以上併用して使用する場合、間の安全柵３を取り外すと、相互に往来可能な形態で使用することができる。
【００１６】
本発明において使用される昇降手段２は、油圧モーターによって作業台を昇降させることができるものであれば特に限定されない。例えば、それぞれの脚を上下に伸縮するものとする方法、その他の構造によるものとすることができる。
【００１７】
図１中、昇降手段２は、４端部近傍に設けられた脚であり、そのそれぞれが高さ方向に伸縮可能なものである。これらの脚部２すべてを同時に昇降させることによって、作業台１の位置を上下させる。そして、作業位置の高さに合わせた状態に調整して、その後、実際の作業を行うものである。このような昇降手段２を伸長させた状態を図２に示した。このように作業台１を上昇させることで、作業者が高所作業する際の足場とすることができる。
【００１８】
図１の実施態様において、上記脚部は、少なくとも４端部近傍において必須のものであり、必要に応じてそれ以上設けるものであっても差し支えない。例えば、細長い形状の昇降式移動足場とする場合は、強度を高めるために、端部以外、中間部等において脚部を設けるものであっても、何ら差し支えない。
【００１９】
図１に示した脚部は、２本の脚部と梁とを備えた門型リフターを使用して形成したものである。門型リフターは、公知であり市販もされている物品であり、市販された門型リフターを使用して本考案の昇降式移動足場を製造するものであっても差し支えない。
【００２０】
図１に示したような構造においては、脚部２上に梁５を設け、その上に作業台１を設置している。このような構造とすることで、強度が得られることとなり、実際の使用に適したものとすることができる。
【００２１】
上記梁５は、繊維強化プラスチック（ＦＲＰ）からなるものであることが好ましい。これによって、強度を維持しつつ、軽量化を図ることができる点で好ましい。
【００２２】
本考案の昇降手段は、その接地部に車輪４を有するものである。これによって、人力で押すことによって任意の方向に容易に移動させることができ、使用性に優れるものとなる。上記車輪４は、移動させるとき以外は、動かないように固定するためのブレーキ手段を備えるものであることが好ましい。このようにすることで、使用時の安全性を確保することができる。当該車輪は、任意の方向に移動できるようなキャスター機能を有するものであることが好ましい。
【００２３】
更に、上述した本考案の昇降式移動足場を、複数個並べて使用することもできる。このような使用態様について、図３に図示した。このようにすることで、作業範囲が広い場合にも対応できる。また、安全柵のうち、一部を取り外すことで、細長いステージ状の作業場所を確保することもできる。また、作業場所の広さに応じて大きさが異なる昇降式移動足場を使い分ける必要もないし、使用しないときの保管場所の確保においても好ましいものである。
【００２４】
本考案の昇降式移動足場は、以下のように使用することができる。
まず、昇降式移動足場を所定の場所まで、人力で移動させる。その際、作業台は最も低い位置として移動させることが好ましい。
所定の場所に置いて、車輪を固定して、位置を確定させる。
そして、必要な物品を作業台上に載置し、作業者も作業台上に載せて、その後、作業台を昇降させる。作業を行う所定の位置にまで作業台を上昇させて、その後所定の作業を行う。このような作業を行っている状態を示す図を図４として示す。作業を終了した際は、作業台を降下させ、人を下ろす。引き続き別の場所での作業を行う場合は、昇降式移動足場を移動させて、同様の作業を繰り返すことができる。
【００２５】
このような方法で高所作業を行うことで、足場組立が必要なく、高い安全性を確保した状態で作業を行うことができる点で好ましい。
【００２６】
また、本考案の昇降式移動足場は、物品の搬入に使用することもできる。例えば、コンピュータサーバ等の大型の電子機器、エアコンの室外機等のような大型の物品を屋内に搬入する場合にも使用することができる。その際の使用方法は、上述した足場として使用する際の方法と同様のものである。
【００２７】
更に、上述した本考案の昇降式移動足場は、すべてが一体化していて、図１に示したような形状で移動して使用・保管するものであってもよいし、これらを分解して幾つかの部品の状態で保管・移動させて、使用に際して現場で組み立てるものであってもよい。
【００２８】
この場合、脚部、梁、作業台、安全柵をばらばらの状態で移動させ、現場でこれらの部品を組み立てて使用することもできる。このような方法で使用するときであっても、その組み立ては通常の足場設置に比べれば極めて簡単な工程で短時間で行うことができ、更に、安全性にも優れたものとなる。更に、保管・移動も一般的な手法で簡便に行える点で好ましいものである。
【産業上の利用可能性】
【００２９】
本考案の昇降式移動足場は、高さが比較的低い工事現場における高所作業や物品搬入の現場において使用することができる。
【符号の説明】
【００３０】
１  作業台
２  昇降手段
３  安全柵
４  車輪
５  梁
６  作業者
【図１】
0003218841.tif 000003
【図２】
0003218841.tif 000004
【図３】
0003218841.tif 000005
【図４】
0003218841.tif 000006